(57)【要約】      （修正有）【課題】自由な照明の演出を可能とする化粧材を提供する。【解決手段】収容部２０ａを有する長尺状の化粧部材１１と、その収容部２０ａに収容される照明部材１２と、収容部２０ａの開口部を被覆するカバー部材１３とを備えた化粧材１０。この化粧材１０は、連結金具２５を介して壁面１に取り付けられるものであり、符号１ａは化粧材１０から照射された光が壁面に沿って現れている様子を示す。特に建物の外壁へ間接照明を施すのに好ましいものである。【選択図】図１
2020159116.tif 000002
【特許請求の範囲】
【請求項１】
壁面に固定される化粧材であって、
収容部を有する化粧部材と、
前記収容部に収容される照明部材と、
前記収容部の開口部を覆うカバー部材とを備えた、
化粧材。
【請求項２】
前記化粧部材が押出成形基材からなる、
請求項１に記載の化粧材。
【請求項３】
前記押出成形基材はセメント系押出成形体からなる、
請求項２に記載の化粧材。
【請求項４】
前記カバーは透光性である、
請求項１から３のいずれかに記載の化粧材。
【請求項５】
前記カバーは外付け可能である、
請求項１から４のいずれかに記載の化粧材。
【請求項６】
前記壁面に取り付けたときの前記カバーを通じて前記照明部材から放射される光の方向が、前記壁面に沿う方向または前記壁面に向いている、
請求項１から５のいずれかに記載の化粧材。
【請求項７】
前記カバーの少なくとも一部が遮光性であり、
前記壁面に取り付けたときの前記カバーを通じて前記照明部材から放射される光の方向が、前記壁面に沿う方向または前記壁面に向いている、
請求項６に記載の化粧材。
【発明の詳細な説明】
【技術分野】
【０００１】
本発明は、壁面に取り付けられる化粧材に関する。
【背景技術】
【０００２】
従来、建物のデザイン性を向上させるものとして、外壁に取り付けられる化粧材（特許文献１）が知られている。このような化粧材は、取付金具を介して壁面に取り付けられている。
【０００３】
一方、照明を外壁に向けて光を照射し、その反射光により間接的に照明する屋外の間接照明が知られている。
例えば、特許文献２では、外壁の上端部に沿って、その上端部を屋外側から覆うように設けられ、外壁の上端部を照射する照明装置を収容する照明収容部を備えた外壁構造が知られている。
【先行技術文献】
【特許文献】
【０００４】
【特許文献１】特開２０１０−０１３８２９号公報
【特許文献２】特開２０１７−２１６０５９号公報
【発明の概要】
【発明が解決しようとする課題】
【０００５】
しかし、特許文献１などの化粧材を用いて、外壁に間接照明を演出することについては知られていない。また特許文献２の外壁構造は、建物の構造に応じて照明装置を固定するものであり、照明の演出箇所が建物の構造に限定されてしまう。
本発明は、自由な間接照明の演出を可能とする化粧材を提供することを目的としている。
【課題を解決するための手段】
【０００６】
本発明の化粧材は、壁面に固定される化粧材であって、収容部を有する化粧部材と、前記収容部に収容される照明部材と、前記収容部の開口部を覆うカバー部材とを備えたことを特徴としている。
本発明の化粧材であって、前記化粧部材が押出成形基材からなるものが好ましく、特に、前記押出成形基材がセメント系押出成形体からなるものが好ましい。
本発明の化粧材であって、前記カバーは透光性であるものが好ましい。
本発明の化粧材であって、前記カバーは外付け可能であるものが好ましい。
本発明の化粧材であって、前記壁面に取り付けたときの前記カバーを通じて前記照明部材から放射される光の方向が、前記壁面に沿う方向または前記壁面に向いているものが好ましい。
本発明の化粧材であって、前記カバーの少なくとも一部が遮光性であり、前記壁面に取り付けたときの前記カバーを通じて前記照明部材から放射される光の方向が、前記壁面に沿う方向または前記壁面に向いているものが好ましい。
【発明の効果】
【０００７】
本発明の化粧材は、照明部材を備えているため、建物の構造に規制されることなく、取り付ける壁面に自由な間接照明を演出することができる。また収容部を覆うカバー部材を備えているため、収容部内の照明部材を保護することができ、耐久性が高い。
【図面の簡単な説明】
【０００８】
【図１】図１ａは本発明の化粧材の第１の実施形態の断面図であり、図１ｂはその化粧材を壁面に取り付けたときの反射光の領域を示す概略図である。
【図２】図２ａは化粧部材を示す断面図であり、図２ｂは化粧部材を示す左側面図であり、図２ｃは照明部材を示す平面図である。
【図３】図３ａは第２の実施形態を示す化粧材の一部断面図であり、図３ｂはそのときの反射光の領域を示す概略図であり、図３ｃは第３の実施形態の化粧材の反射光の領域を示す概略図である。
【図４】図４ａ、図４ｂは、それぞれ第４、第５の実施形態を示す化粧材の断面図である。
【図５】図５ａ、図５ｂは、それぞれ第６、第７の実施形態を示す化粧材の断面図である。
【発明を実施するための形態】
【０００９】
図１ａの化粧材１０は、収容部２０ａを有する長尺状の化粧部材１１と、その収容部２０ａに収容される照明部材１２と、収容部２０ａの開口部を被覆するカバー部材１３とを備えている。この化粧材１０は、連結金具２５を介して壁面１に固定される。
壁面１に取り付けられた化粧材１０から照射された光は、図１ｂに示すように、壁面で反射し、その反射光により間接的に照明するものである。符号１ａは、化粧材１０から照射された光が壁面に沿って現れている様子を示す。特に建物の外壁へ間接照明を施すのに好ましいものである。
【００１０】
初めにカバー部材１３について説明する。
カバー部材１３は、透光性を有する断面Ｃ字状の長尺材である。詳しくは、平板状のカバー板１３ａと、その上端に設けられた第１係止部１３ｂと、その下端に設けられた第２係止部１３ｃとを有する。第１係止部１３ｂと第２係止部１３ｃは、カバー板１３ａに対して垂直に折れ曲がった部位である。
カバー部材１３は、第１係止部１３ｂおよび第２係止部１３ｃで化粧部材１１を挟むようにして化粧部材１１に取り付けられる。つまり、外付けで固定されており、脱着自在となっている。なお、収容部内に水の混入を防止するべく、カバー部材１３と化粧部材１１との間はシール材等で密封されているのが好ましい。またカバー部材１３と化粧部材１１とを係合によって固定しているが、その固定構造は、外付けで脱着自在となっていれば、特に限定されるものではない。
カバー板１３ａは、化粧部材１１の収容部開口部１８を閉じる。つまり、化粧材１０から照射される光は、カバー板１３ａを透過して照射される。
透光性のカバー部材１３は、内部が透けて見える透明であっても、内部が曇ったり、歪んだりして見える半透明であってもよい。また無色であっても、着色されていてもよい。
このようなカバー部材１３は、例えば、ポリカーボネート、アクリル樹脂、ポリ塩化ビニル樹脂などの透光性を有する合成樹脂を押出成形によって成形することができる。
【００１１】
長尺状の化粧部材１１は、図２ａに示すように、長手方向に垂直な断面形状が、Ｃ状の周壁１６と、その周壁の内部空間を仕切る仕切壁１７と、Ｃ状の周壁１６に設けられた収容部２０ａと外部とを連通する収容部開口部１８とを有している。
周壁１６は、天板１６ａと、その両端から天板１６ａに対して垂直に同じ方向に延びる２つの側板１６ｂ１、１６ｂ２とを備えており、両側板１６ｂ１、１６ｂ２の先端同士を繋いだ面１６ｃが開口している。一方の側板１６ｂ１（図２ａの左側）に収容部開口部１８が形成されている。カバー部材１３の第１係止部１３ｂと第２係止部１３ｃは、側板１６ｂ１（図２の左側）の上下端と係合する。
このような化粧部材１１は、化粧材１０を壁面１に取り付けたとき、周壁１６の開口した面１６ｃが壁面１と対向する。つまり、この周壁１６の開口は、壁面１に固定された連結金具２５を受け入れ、壁面１によって閉じられる（図１ａ参照）。また、化粧部材１１を壁面１に取り付けたとき、天板１６ａは壁面１と平行となる。天板１６ａの表面には、用途に応じてデザイン等が施されている。また化粧部材１１の両端部は、図２ｂに示すように、エンドキャップ１１ａによって閉じられている。
【００１２】
仕切壁１７は、天板１６ａから略垂直に延びる縦壁１７ａ１、１７ａ２と、それぞれ側板１６ｂ１、１６ｂ２から略垂直に延びる横壁１７ｂ１、１７ｂ２とを有する。縦壁１７ａ１、１７ａ２、および、横壁１７ｂ１、１７ｂ２は、天板１６ａの幅方向（図２ａの左右方向）の中心線Ｃ１を中心として左右対称に設けられている。そして、縦壁１７ａ１と横壁１７ｂ１および縦壁１７ａ２と横壁１７ｂ２とが交差している。
その他の仕切壁１７としては、縦壁１７ａ１と縦壁１７ａ２とが連続するように、その下端からＹ字状にＹ字壁１７ｃが設けられている。またそれぞれ側板１６ｂ１、１６ｂ２の下端から横壁１７ｂ１、１７ｂ２に向かって斜めに延びる傾斜壁１７ｄ１、１７ｄ２が設けられている。
【００１３】
化粧部材１１は、仕切壁１７によって、内部空間が７つの独立した空間（２０ａ〜２０ｇ）に仕切られている。その独立した空間の一つであり、周壁１６（天板１６ａの一部と側板１６ｂ１の一部）と、仕切壁１７（縦壁１７ａ１と、横壁１７ｂ１）に囲まれた空間２０ａは、照明部材１２を収容する収容部となっている。この空間（収容部）２０ａは、収容部開口部１８によって外部と連通している。また空間２０ｆ、２０ｇは、周壁１６の開口した面１６ｃから連結金具２５を受け入れる（図１ｂ参照）。
なお、仕切壁１７の形状は、少なくとも天板１６ａと側板１６ｂ１または１６ｂ２とが仕切壁１７によって連続していれば、特に限定されるものではない。しかし、連結金具２５を受け入れる空間（２０ｆ、２０ｇ）と、照明部材１２を収容する収容部（２０ａ）とが独立するように仕切壁１７を設けるのが、化粧部材１１を壁面に設置する際、互いに干渉しないため好ましい。また内部空間に対して仕切壁１７が実質的に左右対称となるように設けるのが強度の面から好ましい。
【００１４】
収容部開口部１８は、周壁１６の左側板１６ｂ１の天板１６ａ側に形成されており、外部と空間２０ａとを連通している。化粧部材１１において、図２ｂに示すように、長手方向に延びる１本の長い穴となる。このように収容部開口部１８は、左側板１６ｂ１に形成されているため、化粧部材１１を壁面１に取り付けたとき、壁面と平行に開口することになる。そのため、収容部内に収容された照明部材１２は、壁面１と対向した位置から見えない。
【００１５】
このような長尺状の化粧部材１１は、押出成形基材から構成される。特に、熱可塑性樹脂またはセメント系材料を押出成形した押出成形体から構成される。
熱可塑性樹脂としては、ポリ塩化ビニル樹脂（ＰＶＣ樹脂）、アクリロニトリル−ブタジエン−スチレン共重合樹脂（ＡＢＳ樹脂）、ポリスチレン樹脂（ＰＳ樹脂）、ハイインパクトポリスチレン樹脂（ＨＩＰ樹脂）、アクリロニトリル−スチレン共重合樹脂（ＡＳ樹脂）、変性ポリフェニレンエーテル樹脂、ポリエチレン樹脂、ポリプロピレン樹脂またはこれらの混合樹脂等を用いることができる。
セメント系材料とは、水硬性の無機物を含むセメント系組成物を硬化させた材料である。水硬性の無機物としては、各種ポルトランドセメント、高炉セメント、フライアッシュセメント、シリカセメントなどを用いることができる。また、軽量化のために軽量化骨材等を含んでいてもよく、補強等のためにパルプ、水溶性セルロース、鉱物繊維等を含んでいてもよく、着色のために顔料を含んでいてもよい。各種のセメント系材料のなかでも、耐火性に優れ、比重が軽いことから、珪酸カルシウムを主成分とする珪酸カルシウム系材料を用いることが好ましい。また、強度に優れることから、パルプで補強された珪酸カルシウム系材料を用いることがさらに好ましい。
このようなセメント系材料は、押出成形によって、長手方向（押出方向）に断面形状がほぼ同一な成形体を容易に製造することができる。また、比重０．７〜１．５、特に０．７〜１．３程度の押出成形体であれば、軽量性による施工性の向上の効果も生じる。さらに、耐熱性を有しているため、発熱する照明部材を収容しても変形するおそれがなく、耐久性に優れている。硬化後のセメント系押出成形体は、ビス、ネジ、釘等の固着具により固定可能である。
【００１６】
次に、押出成形体からなる化粧部材１１の製造方法について説明する。
セメント系材料を用いた化粧部材１１の製造方法は、周壁１６と、仕切壁１７とを備えたセメント系押出成形体を成形し、その後、周壁１６の側板１６ｂ１を切削して側板１６ｂ１に収容部開口部１８を設ける。なお、周壁１６と仕切壁１７とを備えたセメント形押出成形体は、周壁１６の開口した面１６ｃを下にしてスペーサを入れて形状を保たせながら押出して硬化させる。
熱可塑性樹脂を用いた化粧部材１１は、押出成形により収容部開口部１８を備えた押出成形体を成形することができる。
【００１７】
照明部材１２は、図２ｃに示すように、縦長の空間（収容部）２０ａに収容される縦長のものである。詳しくは、縦長の基板１２ａと、基板の長手方向に均等に設けられた複数のＬＥＤ１２ｂとを備えており、基板１２ａの端部に照明部材１２に電源を供給する配線１２ｃが設けられている。なお、ＬＥＤ以外に、蛍光灯、電球等の電力によって発光するものを用いてもよい。さらに、化粧部材１１内の他の空間内に収容した電池で電源を供給してもよい。
【００１８】
照明部材１２は、収容部（空間２０ａ）に設けられる冶具１５に保持させている（図１ａ参照）。冶具１５の大きさや形状を選択することにより、収容部内における照明部材１２の位置および向きを調整することができる。照明部材１２は、冶具１５と接着剤等で固定し、冶具１５は、例えば、ねじ等の固定具２６によって仕切壁の縦壁１７ａ１に固定する。このように照明部材１２は、冶具１５によって壁面に沿う方向に固定され、照明部材１２から照射される光は、図１に示すように壁面に沿って現れる。
このように構成されているため、冶具１５を取り外すことにより、照明部材１２の取替えができる。その場合、カバー部材１３を取り外し、照明部材１２および冶具１５を収容部開口部１８から出し入れする。しかし、例えば、互いに係合できる係止爪を照明部材１２の裏面および冶具の表面に設ける等、照明部材１２と冶具１５とを取り外し可能な構造とし、照明部材１２のみを出し入れするようにしてもよい
【００１９】
また図３ａ、ｂに示すように、冶具１５の表面を傾けることにより、照明部材１２が壁面１に向く、つまり、光が壁面の所定の領域１ｂに現れるように調整してもよい。また収容部内に反射板を設け、照明部材１２から照射された光を反射板に反射させて、その反射光を壁面に沿う方向または壁面に向かせて、壁面の所定の領域に現れるようにしてもよい。
さらに、図３ｃに示すように、壁面へのデザインに応じて反射光の領域１ｃが化粧部材１１の長手方向の一部だけとなるように、照明部材１２を化粧部材１１の一部にだけ設けてもよい。
【００２０】
図１に戻って、このような化粧材１０は、例えば、壁面１に一定の間隔でも設けられた連結金具２５を介して壁面１に取り付けられる。連結金具２５としては、例えば、天面２５ａとその両端から垂直に延びる側面２５ｂとを有する断面コ字状の金具が挙げられる。このとき、連結金具２５の側面２５ｂは壁面１に対して垂直に突出した状態となり、この側面２５ｂを化粧部材１１の周壁１６の開口した面１６ｃ（空間２０ｆ、２０ｇ）に挿入し、側面２５ｂと周壁１６の右側板１６ｂ２とを重ねてビス２６ａとナット２６ｂで固定する。また連結金具２５は壁面１にねじ等の固定具２６によって固定される。
なお、連結金具２５としては、壁面１に固定される壁面固定部（例えば、天面２５ａ）と、壁面１に対して突出する建材固定部（例えば、側面２５ｂ）とを備えていれば、その形状は特に限定されない。また、連結金具２５と化粧部材１１との固定構造も特に限定されない。さらに、壁面固定部は、壁面に対して取り外し可能とせず、埋め込まれていてもよい。
【００２１】
このように構成される化粧材１０は、建物の構造に関係無く壁面１に取り付けることができるため、デザイン性の高い間接照明を外壁に施すことができる。
特に、収容部内に収容された照明部材１２は、壁面１と対向した位置から見えないため、化粧材１０としての装飾性を失うことなく間接照明を演出することができる。
また化粧部材１１の収容部２０ａは、連結金具２５を受け入れる周壁１６の開口した面１６ｃと独立しているため、化粧材１０の壁面１への取付作業時に、照明部材１２に不意な外力を加えるおそれがなく好ましい。
また化粧材１０を耐熱性の高いセメント系材料によって構成する場合、照明部材１２を直接収容しても、変形等が起こりにくい。また環境変化にも強く外部への設置にも適している。さらに、セメント系材料を押出成形したセメント系押出成形体に切削加工しているため、精度の高い製品を高効率で生産することができる。
【００２２】
次に他の実施形態について説明する。
図４ａの化粧材３０は、カバー部材３１が化粧部材１１に中付けされている。
カバー部材３１は、平板状のカバー板３１ａと、その上下端に設けられた係止爪３１ｂ、３１ｃとを有する。
一方、化粧部材１１の収容部（空間２０ａ）の内面に、係止爪３１ｂ、３１ｃを係止する係止溝３２ａ、３２ｂが形成されている。他の構成は、図１の化粧材１０と実質的に同じである。
このようなカバー部材３１は、化粧部材１１に端部からスライドさせて取り付ける。
図４ｂの化粧材３５は、カバー部材３６が、化粧部材１１の収容部開口部１８に挿入して取り付けられている。カバー部材３６は、カバー板３６ａと、その上下に設けられた第１係止部３６ｂ、第２係止部３６ｃとを備えている。第１係止部３６ａおよび第２係止部３６ｃが、収容部２０ａの内面と係合することによって、固定される。他の構成は、図１の化粧材１０と実質的に同じである。
いずれの場合も図１の化粧材１０と同様に、壁面１に簡単に取り付けることができ、デザイン性の高い間接照明を外壁に施すことができる。
【００２３】
図５ａの化粧材４０は、遮光性のカバー部材４１を備えている。この遮光性のカバー４１は、照明部材１２から放射される光を、壁面１に沿う方向または壁面１に向かう方向に制御するものである。他の構成は、図１の化粧材１０と実質的に同じである。
カバー部材４１は、カバー板４１ａと、その上端に設けられた係止部４１ｂとを有する断面Ｌ字状の長尺材である。
係止部４１ｂは、化粧部材１１の上端に接着剤等で固定されている。しかし、その固定構造は特に限定されない。
カバー板４１ａは、化粧部材１１の収容部開口部１８から間隔Ｔをあけて配置されている。カバー板４１ａの下端は収容部開口部１８より下方にあり、かつ、壁面１との間には隙間Ｓを有する。
このように構成されているため、収容部開口部１８から壁面と平行に照射される光は、カバー板４１ａで遮られる。一方、収容部２０ａの内面およびカバー板４１ａの内面で反射される光は、カバー板４１ａの下端と壁面１の間の隙間Ｓより壁面１に沿う方向または壁面１に向かう方向に照射される。
このように化粧材４０も、図１の化粧材１０と同様に、壁面１に間接照明を簡単に演出することができる。
【００２４】
図５ｂの化粧材４５は、カバー部材４６の一部に遮光性を持たせ、一部に透光性を持たせたものである。
カバー部材４６は、カバー板４６ａと、上下端に設けられる第１係止部４６ｂ、第２係止部４６ｃとを有する断面Ｃ字状の長尺材である。第１係止部４６ｂと第２係止部４６ｃは、カバー板４６ａに対して垂直に折れ曲がった部位である。
カバー板４６ａは、化粧部材１１の収容部開口部１８から間隔Ｔをあけて配置されている。カバー板４６ａは、収容部開口部１８より上方の上部４６ａ１に遮光性を持たせており、収容部開口部１８より下方の下部４６ａ２に透光性を持たせている。
第１係止部４６ｂおよび第２係止部４６ｃは、図１の第１係止部１３ｂおよび第２係止部１３ｃと同様に、化粧部材１１を挟むようにして脱着自在に外付けで取り付けられている。
このように構成されているため、収容部開口部１８から壁面と平行に照射される光は、カバー板４６ａの上部４６ａ１で遮られる。一方、収容部２０ａの内面およびカバー板４６ａの上部４６ａ１の内面で反射される光は、カバー板４６ａの下部４６ａ２より壁面１に沿う方向または壁面１に向かう方向に照射される。
このように化粧材４５も、図１の化粧材１０と同様に、壁面１に間接照明を簡単に演出することができる。
【符号の説明】
【００２５】
１    壁面
１ａ、１ｂ、１ｃ  反射光の領域
１０  化粧材
１１  化粧部材
１１ａ  エンドキャップ
１２  照明部材
１２ａ  基板
１２ｂ  ＬＥＤ
１２ｃ  配線
１３  カバー部材
１３ａ  カバー板
１３ｂ  第１係止部
１３ｃ  第２係止部
１５  冶具
１６  周壁
１６ａ  天板
１６ｂ１  左側板
１６ｂ２  右側板
１６ｃ  面
１７  仕切壁
１７ａ１、１７ａ２  縦壁
１７ｂ１、１７ｂ２  横壁
１７ｃ  Ｙ字壁
１７ｄ１、１７ｄ２  傾斜壁
１８  収容部開口部
２０ａ  収容部
２０ｂ−２０ｇ  空間
２５  連結金具
２５ａ  天面
２５ｂ  側面
２６  固定具
２６ａ  ビス
２６ｂ  ナット
３０  化粧材
３１  化粧部材
３１ａ  化粧板
３１ｂ、３１ｃ  係止爪
３２ａ、３２ｂ  係止溝
３５ａ  化粧材
３６ａ  カバー部材
４０  化粧材
４１  カバー部材
４１ａ  カバー板
４１ｂ  係止部
４５  化粧材
４６  カバー部材
４６ａ  カバー板
４６ａ１  上部
４６ａ２  下部
４６ｂ  第１係止部
４６ｃ  第２係止部
【図１】
2020159116.tif 000003
【図２】
2020159116.tif 000004
【図３】
2020159116.tif 000005
【図４】
2020159116.tif 000006
【図５】
2020159116.tif 000007